(57)【要約】【課題】外気の温度が低い時でも、手乾燥時の高速風によって手に冷風感を感じさせることがないことを目的とする。【解決手段】空気を送出するノズル部１と、前記ノズル部１から空気を送出するファンモータ２と、外郭を形成する本体ケーシング３と、前記ファンモータ２に空気を送出するための吸気口４と、前記ファンモータ２から送出された空気を加熱する加熱手段５を備えた手乾燥装置をであって、本体ケーシング３に人検知手段６を備え、前記人を検知した際に前記手指検知手段７で加熱を開始することにより、外気の温度が低い時でも、手乾燥時の高速風によって手に冷風感を感じさせることがない手乾燥装置を提供できる。【選択図】図１
2011055859.tif 000002
【特許請求の範囲】
【請求項１】
空気を送出するノズル部と、前記ノズル部から空気を送出するファンモータと、前記ファンモータを支えるモータケーシングと、外郭を形成する本体ケーシングと、前記ファンモータに空気を送出するための吸気口と、前記ファンモータから送出された空気を加熱する加熱手段を備えた手乾燥装置をであって、前記本体ケーシングに人検知手段と手指検知手段を備え、人を検知した際に前記加熱手段で加熱を開始し、手指を検知した際に前記ファンモータから空気の送出を開始することを特徴とする手乾燥装置。
【請求項２】
前記人検知手段として、使用者の前記人と前記手乾燥装置との距離の変化によって検知を行う測距型検知器としたことを特徴とする請求項１記載の手乾燥装置。
【請求項３】
前記人検知手段として、光感知型検知器としたことを特徴とする請求項１または２記載の手乾燥装置。
【請求項４】
前記人検知手段として、便器または水道を利用する人検知手段を設け、前記人検知手段と連動させた便器水道利用検知手段としたことを特徴とする請求項１記載の手乾燥装置。
【請求項５】
前記人検知手段として、水道管の流量測定器としたことを特徴とする請求項１または４記載の手乾燥装置。
【請求項６】
前記人検知手段として、２点間を遮断したことを検知する遮断型検知器としたことを特徴とする請求項１記載の手乾燥装置。
【請求項７】
前記人検知手段として、前記手乾燥装置にペダルスイッチまたは圧力式の検知器を設けたことを特徴とする請求項１記載の手乾燥装置。
【請求項８】
前記人検知手段として、前記本体ケーシングの上部に人が手乾燥装置に手をかざしていることを検知する手かざし検知器を備えた請求項１記載の手乾燥装置。
【請求項９】
前記人検知手段が、前記人を検知したときのみ前記手指検知手段に通電することを特徴とする請求項１〜３のいずれかに記載の手乾燥装置。
【請求項１０】
前記加熱手段によって加熱された空気を、前記吸気口へと循環させることを特徴とする請求項１〜３、９のいずれかに記載の手乾燥装置。
【請求項１１】
前記本体ケーシング内に温度測定手段と温度調整手段を設け、加熱された空気の温度を制御することを特徴とする請求項１記載の手乾燥装置。
【請求項１２】
外温度測定手段と外気温度測定手段と前記温度測定手段と前記温度調整手段により、自動に前記加熱手段を加熱させることを特徴とする請求項１〜３、９、１０のいずれかに記載の手乾燥装置。
【発明の詳細な説明】
【技術分野】
【０００１】
本発明は、洗面所やトイレなどで手を洗った後、濡れた手を乾燥させる手乾燥装置に関する。
【背景技術】
【０００２】
従来より、洗浄後の濡れた手を乾燥させる装置として、高速空気流により手に付着した水滴を吹き飛ばし乾燥させる手乾燥装置が知られている（例えば、特許文献１参照）。
【０００３】
以下、その手乾燥装置について図６を参照しながら説明する。
【０００４】
図に示すように本体ケース１０１は、前面と天面と両側面を形成するフロントケース１０２と、壁面を形成するリアケース１０３で外装を形成している。本体ケース１０１には、送風手段１０４と、この送風手段１０４と連通し送風空気を吹き出す吹き出しノズル１０５と、電装部品を制御する制御手段１０６を設けている。送風手段１０４は送風空気を発生させるブロアモーター１０７と送風ケース１０８からなる。吹き出しノズル１０５内の風路には送風空気を温風にする発熱手段１０９を設けている。本体ケース１０１の下面には、吹き出しノズル１０５の吹き出し口１０５ａと、送風空気を本体ケース１０１内部に取り込む吸気口１１０とが設けられている。
【先行技術文献】
【特許文献】
【０００５】
【特許文献１】特許第３５０６１９８号公報
【発明の概要】
【発明が解決しようとする課題】
【０００６】
このような従来の手乾燥装置では、外気の温度が低い時、手乾燥時の高速風によって手に冷風感を感じるという課題がある。
【０００７】
本発明は、このような従来の課題を解決するものであり、外気の温度が低い時でも、手乾燥時の高速風によって手に冷風感を感じさせることがない手乾燥装置を提供することを目的とする。
【課題を解決するための手段】
【０００８】
本発明の手乾燥装置は、上記目的を達成するために、空気を送出するノズル部と、前記ノズル部から空気を送出するファンモータと、前記ファンモータを支えるモータケーシングと、外郭を形成する本体ケーシングと、前記ファンモータに空気を送出するための吸気口と、前記ファンモータから送出された空気を加熱する加熱手段を備えた手乾燥装置をであって、前記本体ケーシングに人検知手段と手指検知手段を備え、人を検知した際に前記加熱手段で加熱を開始し、手指を検知した際に前記ファンモータから空気の送出を開始するものである。
【０００９】
また、他の手段は、前記人検知手段として、使用者の前記人と前記手乾燥装置との距離の変化によって検知を行う測距型検知器としたものである。
【００１０】
また、他の手段は、前記人検知手段として、光感知型検知器としたものである。
【００１１】
また、他の手段は、前記人検知手段として、便器または水道を利用する人検知手段を設け、前記人検知手段と連動させた便器水道利用検知手段としたものである。
【００１２】
また、他の手段は、前記人検知手段として、水道管の流量測定器としたものである。
【００１３】
また、他の手段は、前記人検知手段として、２点間を遮断したことを検知する遮断型検知器としたものである。
【００１４】
また、他の手段は、前記人検知手段として、前記手乾燥装置にペダルスイッチまたは圧力式の検知器を設けたものである。
【００１５】
また、他の手段は、前記人検知手段として、前記本体ケーシングの上部に人が手乾燥装置に手をかざしていることを検知する手かざし検知器を備えたものである。
【００１６】
また、他の手段は、前記人検知手段が、前記人を検知したときのみ前記手指検知手段に通電するものである。
【００１７】
また、他の手段は、前記加熱手段によって加熱された空気を、前記吸気口へと循環させるものである。
【００１８】
また、他の手段は、前記本体ケーシング内に温度測定手段と温度調整手段を設け、加熱された空気の温度を制御するものである。
【００１９】
また、他の手段は、外気温度測定手段と前記温度測定手段と前記温度調整手段により、自動に前記加熱手段を加熱させるものである。
【発明の効果】
【００２０】
本発明によれば、空気を送出するノズル部と、前記ノズル部から空気を送出するファンモータと、前記ファンモータを支えるモータケーシングと、外郭を形成する本体ケーシングと、前記ファンモータに空気を送出するための吸気口と、前記ファンモータから送出された空気を加熱する加熱手段を備えた手乾燥装置をであって、前記本体ケーシングに人検知手段と手指検知手段を備え、前記人を検知した際に前記加熱手段で加熱を開始し、手指を検知した際に前記ファンモータから空気の送出を開始することにより、外気の温度が低い時でも、手乾燥時の高速風によって手に冷風感を感じさせることがないという効果のある手乾燥装置を提供することができる。
【００２１】
また、前記人検知手段として、使用者の前記人と前記手乾燥装置との距離の変化によって検知を行う測距型検知器としたことにより、人が手乾燥装置に近づいた時のみ加熱手段が動作するため、無駄な加熱を行うことなく、外気の温度が低い時でも冷風感を感じさせることがないという効果のある手乾燥装置を提供することができる。
【００２２】
また、前記人検知手段として、光感知型検知器としたことにより、例えばトイレ空間において人がいるときは確実に加熱をすることが可能となり、外気の温度が低い時でも冷風感を感じさせることがないという効果のある手乾燥装置を提供することができる。
【００２３】
また、前記人検知手段として、便器または水道を利用する人検知手段を設け、前記人検知手段と連動させた便器水道利用検知手段としたことにより、便器または水道を使用した際のみ加熱を行い、無駄な加熱を行うことなく、外気の温度が低い時でも冷風感を感じさせることがないという効果のある手乾燥装置を提供することができる。
【００２４】
また、前記人検知手段として、水道管の流量測定器としたことにより、水を使用した際のみ加熱を行い、無駄な加熱を行うことなく、外気の温度が低い時でも冷風感を感じさせることがないという効果のある手乾燥装置を提供することができる。
【００２５】
また、前記人検知手段として、２点間を遮断したことを検知する遮断型検知器としたことにより、任意の地点を通過した人間のみを感知し、無駄な加熱を行うことなく、外気の温度が低い時でも冷風感を感じさせることがないという効果のある手乾燥装置を提供することができる。
【００２６】
また、前記人検知手段として、前記手乾燥装置にペダルスイッチまたは圧力式の検知器を設けたことにより、確実に手乾燥装置を使用する人に対してのみ加熱手段を作動させるため、消費電力を抑えながら外気の温度が低い時でも冷風感を感じさせることがないという効果のある手乾燥装置を提供することができる。
【００２７】
また、前記人検知手段として、前記本体ケーシングの上部に人が手乾燥装置に手をかざしていることを検知する手かざし検知器を備えたことにより、手乾燥装置使用者に加熱空気かただの送風どちらで手を乾燥させるかを選択する機会を与え、消費電力を抑えながら外気の温度が低い時でも冷風感を感じさせることがないという効果のある手乾燥装置を提供することができる。
【００２８】
また、前記人検知手段が、前記人を検知したときのみ前記手指検知手段に通電することにより、より消費電力を抑えながら外気の温度が低い時でも冷風感を感じさせることがないという効果のある手乾燥装置を提供することができる。
【００２９】
また、前記加熱手段によって加熱された空気を、前記吸気口へと循環させることにより、手乾燥装置を使用開始時から、より暖かい空気を提供し、外気の温度が低い時でも冷風感を感じさせることがないという効果のある手乾燥装置を提供することができる。
【００３０】
また、前記本体ケーシング内に温度測定手段と温度調整手段を設け、加熱された空気の温度を制御することにより、空気を加熱しすぎることを防ぎ、電力消費量を抑えるとともに、外気の温度が低い時でも一層冷風感を感じさせることがないという効果のある手乾燥装置を提供することができる。
【００３１】
また、外気温度測定手段と前記温度測定手段と前記温度調整手段により、自動に前記加熱手段を加熱させることにより、温度調節によって外気に適応した適度な加熱空気を提供でき、必要のない時に空気を加熱することを防ぎ電力消費量を抑えることができ、外気の温度が低い時でも冷風感を感じさせることがないという効果のある手乾燥装置を提供することができる。
【図面の簡単な説明】
【００３２】
【図１】本発明の実施の形態１の手乾燥装置の構成を示す側面図
【図２】本発明の実施の形態２の手乾燥装置の構成を示す概要図
【図３】本発明の実施の形態３の手乾燥装置の遮断型検知器を示す側面図
【図４】本発明の実施の形態４の手乾燥装置のペダルスイッチまたは圧力センサを示す側面図
【図５】本発明の実施の形態５の手乾燥装置の手かざし検知器を示す側面図
【図６】従来の手乾燥装置の構成を示す側面図
【発明を実施するための形態】
【００３３】
本発明の請求項１記載の手乾燥装置は、空気を送出するノズル部と、前記ノズル部から空気を送出するファンモータと、前記ファンモータを支えるモータケーシングと、外郭を形成する本体ケーシングと、前記ファンモータに空気を送出するための吸気口と、前記ファンモータから送出された空気を加熱する加熱手段を備えた手乾燥装置をであって、前記本体ケーシングに人検知手段と手指検知手段を備え、前記人を検知した際に前記加熱手段で加熱を開始し、手指を検知した際に前記ファンモータから空気の送出を開始することとしたものであり、例えばトイレ空間において人検知手段で人がいることを検知し、手乾燥装置の使用前に加熱手段を作動させ加熱を開始するという作用を有する。
【００３４】
また、前記人検知手段として、使用者の前記人と前記手乾燥装置との距離の変化によって検知を行う測距型検知器としたこととしたものであり、手乾燥装置に一定距離まで人が近づくと、測距型検知器が人を検知し、加熱手段を作動させるという作用を有する。
【００３５】
また、前記人検知手段として、光感知型検知器としたこととしたものであり、例えばトイレ空間において人が入った際に点灯する電灯の光を検知し、加熱手段を作動させるという作用を有する。
【００３６】
また、前記人検知手段として、便器または水道を利用する人検知手段を設け、前記人検知手段と連動させた便器水道利用検知手段としたこととしたものであり、便器または水道を使用した際に、便器に取り付けられた人検知手段が人を検知し、加熱手段を作動させるという作用を有する。
【００３７】
また、前記人検知手段として、水道管の流量測定器としたこととしたものであり、水道管に取り付けられた流量検知器が作動し、トイレ空間で水が使用されたことを検知し、加熱手段を作動させるという作用を有する。
【００３８】
また、前記人検知手段として、２点間を遮断したことを検知する遮断型検知器としたこととしたものであり、任意の２点間または手乾燥装置と任意の１点を人が通過した際に人を検知し、加熱手段を作動させるという作用を有する。
【００３９】
また、前記人検知手段として、前記手乾燥装置にペダルスイッチまたは圧力式の検知器を設けたこととしたものであり、手乾燥装置を使用しようと手乾燥装置に近づいた人が、手乾燥装置の前方床に設置されたペダルスイッチまたは圧力センサの上に乗ることで人を検知し、加熱手段を作動させるという作用を有する。
【００４０】
また、前記人検知手段として、前記本体ケーシングの上部に人が手乾燥装置に手をかざしていることを検知する手かざし検知器を備えたとしたものであり、人検知手段により人が手をかざしていることを検知し、加熱手段を作動させるという作用を有する。
【００４１】
また、前記人検知手段が、前記人を検知したときのみ前記手指検知手段に通電することとしたものであり、人検知手段が人を検知したときのみ、手指検知手段が動作し、人検知手段が人を検知していないときは通電させないという作用を有する。
【００４２】
また、前記加熱手段によって加熱された空気を、前記吸気口へと循環させることとしたものであり、人検知手段によって人を検知した際に、加熱を開始すると同時に、空気を加熱させながら循環させるという作用を有する。
【００４３】
また、前記本体ケーシング内に温度測定手段と温度調整手段を設け、加熱された空気の温度を制御することとしたものであり、加熱手段によって加熱された空気の温度または加熱手段の温度を測定し、設定温度以上になると加熱手段を停止させるという作用を有する。
【００４４】
また、外気温度測定手段と前記温度測定手段と前記温度調整手段により、自動に前記加熱手段を加熱させることとしたものであり、外気温と加熱された空気の温度または加熱手段の温度を測定し、加熱の必要性のあるときのみ加熱手段に通電させるという作用を有する。
【００４５】
以下、本発明の実施の形態について、図面を参照しながら説明する。
【００４６】
（実施の形態１）
図１に示すように、空気を送出するノズル部１と、前記ノズル部１から空気を送出するファンモータ２と、外郭を形成する本体ケーシング３と、前記ファンモータ２に空気を送出するための吸気口４と、前記ファンモータ２から送出された空気を加熱する加熱手段５を備えた手乾燥装置であって、前記本体ケーシング３に前記手乾燥装置使用者と前記手乾燥装置との距離の変化によって検知を行う測距型検知器と、光感知型検知器の両方またはどちらか一方を利用した人検知手段６を備え、人を検知した際に前記加熱手段５で加熱を開始し、手指検知手段７に通電する構成とする。また、前記加熱手段５によって加熱された空気を、前記吸気口４へと循環させるための温風循環路８とシャッター９を備え、前記人を検知したときのみ前記人検知手段６に通電し、前記本体ケーシング３内に温度測定手段１０と温度調整手段１１と外気温度測定手段１２によって加熱された空気の温度を制御する構成とする。
【００４７】
上記構成により、例えばトイレ空間において前記手乾燥装置に一定距離まで人が近づく、あるいはトイレ空間において人が入った際に点灯する電灯の光を検知することによって人検知手段６によって人が手乾燥装置を利用しようとしていること、あるいはトイレ空間にいることを検知し、手乾燥装置の使用前に加熱手段５を作動させ加熱を開始し、温度測定手段１０によって加熱手段５によって加熱された空気の温度または加熱手段５の温度を測定し、設定温度以上になると加熱手段５を停止させる。さらに、温度測定手段１０と外気温度測定手段１２によって測定された温度から、温度調整手段１１によって加熱手段５の温度を調整する。また、人検知手段６によって人を検知した時のみ、手指検知手段７が動作し、加熱を開始すると同時に手指検知手段７が手指を検知、または一定時間が経過するまで温風循環路８とシャッター９によって加熱された空気を循環させ、人検知手段６が前記人を検知していないときは通電させない。
【００４８】
このように本発明の実施の形態１の手乾燥装置によれば、必要のない時に空気を加熱することを防ぐことで外気の温度が低い時に消費電力を抑えながらでも、確実に使用開始時から手乾燥時の高速風によって手に冷風感を感じさせることがないこととなる。
【００４９】
（実施の形態２）
実施の形態１と異なるところは、人検知手段６（図１参照）の検知方法である。
【００５０】
図２に示すように、前記人検知手段６（図１参照）として、トイレ空間の便器の人検知手段１３または水道の人検知手段１４を利用する人検知手段６（図１参照）を設け、前記人検知手段と連動させた便器・水道利用検知手段を用いた構成、または水道管の流量測定器１５を用いた構成とする。
【００５１】
上記構成により、例えば便器または水道を使用した際に、便器または水道に取り付けられた便器の人検知手段１３または１４が人を検知、または水道管に取り付けられた流量測定器１５がトイレ空間で水が使用されたことを検知し、加熱手段５（図１参照）を作動させる。
【００５２】
このように本発明の実施の形態２の手乾燥装置によれば、トイレ空間において水を使用した際のみ加熱を行い、無駄な加熱を行うことなく、外気の温度が低い時でも冷風感を感じさせることがないこととなる。
【００５３】
（実施の形態３）
実施の形態１および２と異なるところは、人検知手段６（図１参照）の検知方法である。
【００５４】
図３に示すように、前記人検知手段６（図１参照）として、手乾燥装置本体１６（図２参照）に設置された遮断型検知器の発信機１７側と手乾燥装置本体１６（図１参照）とは離れた場所に設置された遮断型検知器の発信機１７側（図２参照）である２点間を遮断したことを検知する遮断型検知器を用いた構成とする。
【００５５】
上記構成により、例えば任意の２点間または手乾燥装置と任意の１点を人が通過した際に人を検知し、加熱手段５（図１参照）を作動させる。
【００５６】
このように本発明の実施の形態３の手乾燥装置によれば、任意の地点を通過した人間のみを感知し、無駄な加熱を行うことなく、外気の温度が低い時でも冷風感を感じさせることがないこととなる。
【００５７】
（実施の形態４）
実施の形態１〜３と異なるところは、人検知手段６（図１参照）の検知方法である。
【００５８】
図４に示すように、前記人検知手段６（図１参照）として、前記手乾燥装置にペダルスイッチまたは圧力センサ１９を設けた構成とする。
【００５９】
上記構成により、手乾燥装置を使用しようと手乾燥装置に近づいた人が、手乾燥装置の前方床に設置されたペダルスイッチまたは圧力センサ１９の上に乗ることで人を検知し、加熱手段５（図１参照）を作動させる。
【００６０】
このように本発明の実施の形態４の手乾燥装置によれば、確実に手乾燥装置を使用する人に対してのみ加熱手段５（図１参照）を作動させるため、消費電力を抑えながら外気の温度が低い時でも冷風感を感じさせることがないこととなる。
【００６１】
（実施の形態５）
実施の形態１〜４と異なるところは、人検知手段６（図１参照）の検知方法である。
【００６２】
図５に示すように、前記人検知手段６（図１参照）として、前記本体ケーシングの上部に人が手乾燥装置に手をかざしていることを検知する手かざし検知器２０を備えた構成とする。
【００６３】
上記構成により、手かざし検知器２０によって人が手をかざしていることを検知し、加熱手段５（図１参照）を作動させる。
【００６４】
このように本発明の実施の形態５の手乾燥装置によれば、手乾燥装置使用者に加熱空気かただの送風どちらで手を乾燥させるかを選択する機会を与え、消費電力を抑えながら外気の温度が低い時でも冷風感を感じさせることがないこととなる。
【産業上の利用可能性】
【００６５】
トイレや手洗い場に取り付けた手乾燥装置を用いて容易に温風による乾燥ができ、同手乾燥装置に人検知手段を取り付けることにより、消費電力の小さい手乾燥装置による快適な温度での乾燥に適用できる。
【符号の説明】
【００６６】
１    ノズル部
２    ファンモータ
３    本体ケーシング
４    吸気口  
５    加熱手段
６    人検知手段
７    手指検知手段  
８    温風循環路  
９    シャッター
１０  温度測定手段  
１１  温度調整手段  
１２  外気温度測定手段  
１３  便器の人検知手段  
１４  水道の人検知手段  
１５  流量測定器  
１６  手乾燥装置本体
１７  遮断型検知器（発信機）
１８  遮断型検知器（受信機）
１９  ペダルスイッチまたは圧力センサ
２０  手かざし検知器
【図１】
2011055859.tif 000003
【図２】
2011055859.tif 000004
【図３】
2011055859.tif 000005
【図４】
2011055859.tif 000006
【図５】
2011055859.tif 000007
【図６】
2011055859.tif 000008